(57)【要約】【課題】  電子機器の安定した電力の供給と盗難等のセキュリティ対応を可能にし、しかもデザイン上あるいは使い勝手の良い電源ケーブル及び電子機器を提供する。【解決手段】  電子機器本体に電力を供給する電源ケーブル１０は、電子機器本体のインレットに接続されるコネクタ１と、電源のコンセントに差し込まれるプラグ２と、コネクタ１とプラグ２とを電気的に結合する電源コード３と、電源コード３の全部もしくは一部と一体的に構成されるとともに、コネクタ１に掛け廻す拘束ケーブル４と、拘束ケーブル４のコネクタ側１の端部に固定されるとともに、コネクタ１がインレットから引き抜きできないように電子機器本体に固定するロック部とを備えている。【選択図】      図１
2005235570.tif 000002
【特許請求の範囲】
【請求項１】
電子機器本体に電力を供給する電源ケーブルであって、
前記電子機器本体のインレットに接続されるコネクタと、
電源のコンセントに差し込まれるプラグと、
前記コネクタと前記プラグとを電気的に結合する電源コードと、
前記電源コードの全部もしくは一部と一体的に構成されるとともに、前記コネクタに掛け廻す拘束ケーブルと、
前記拘束ケーブルの前記コネクタ側の端部に固定されるとともに、前記コネクタを前記インレットから引き抜きできないように前記電子機器本体に固定するロック部と
を備えたことを特徴とする電源ケーブル。
【請求項２】
請求項１記載の電源ケーブルにおいて、
前記拘束ケーブルは、端部に環部を有することを特徴とする電源ケーブル。
【請求項３】
請求項１又は２に記載の電源ケーブルにおいて、
前記拘束ケーブルの環部は、前記電源コードの途中から分岐する状態に設けられていることを特徴とする電源ケーブル。
【請求項４】
請求項１又は２に記載の電源ケーブルにおいて、
前記ロック部は、前記電子機器本体に設けられた錠の開閉操作により可動する係止部材に係合する係止部を有することを特徴とする電源ケーブル。
【請求項５】
請求項１又は２に記載の電源ケーブルにおいて、
前記ロック部は、前記コネクタと一体的に形成された錠を備え、前記錠は当該錠を開閉操作することにより可動するとともに、前記電子機器本体の係止部に係合する係止部材を有することを特徴とする電源ケーブル。
【請求項６】
請求項１乃至請求項５の何れか一項に記載の電源ケーブルと、前記電子機器本体とを備えた電子機器。
【発明の詳細な説明】
【技術分野】
【０００１】
本発明は、電子機器本体に電力を供給する電源ケーブル及び電子機器に関し、特にセキュリティ機能を有する電源ケーブル及びそれを用いた電子機器に関する。
【背景技術】
【０００２】
近年の電子技術の進展は目覚しく、パソコン、プロジェクタ、あるいはＤＶＤを始めとする映像記録装置等の小型化が図られている。こうした小型化に伴い、持ち運び可能な電子機器の盗難を防止するセキュリティ対応が求められ、物理的なセキュリティ対応として、金属ワイヤ等の拘束コードを巻き付けて施錠するなど、各種の拘束具が提案されている。しかし、電子機器本体に拘束コードを用いることは、拘束コードと電子機器本体に電力を供給する電源ケーブルとの両方が必要で有り、デザイン上あるいは使い勝手の面からの制約が少なくない。
【０００３】
従来、電子機器の電力の供給と盗難の予防をはかるために、電子機器本体と、その電子機器本体に一端が接続され十分な引張り荷重に耐える電源ケーブルと、電源ケーブルの他端に設けられ商用交流電源のコンセントに差し込み接続される差込プラグと、差込プラグをコンセントに引き抜きできないように固定するロック機構と、ロック機構を解除する鍵とを備えたポータブル電子機器が提案されている（例えば、特許文献１参照）。
【０００４】
【特許文献１】特開平５−１４３１９４号公報
【発明の開示】
【発明が解決しようとする課題】
【０００５】
しかしながら、上記の特許文献１のポータブル電子機器では、電源ケーブルのコンセントからの抜き止めレベルの対応は可能であるが、故意による電源ケーブルの切断やコンセントの破壊等に対する対応が不十分であり、電子機器の盗難等の防止対応には課題があった。また、電子機器の不使用時にコンセントからプラグを抜いた状態での盗難防止が困難であった。
【０００６】
そこで、本発明は、電子機器の安定した電力の供給と、コード切断等による盗難を防止でき、コンセントから抜いた電子機器の不使用時でも盗難が防止できる電源ケーブル及び電子機器を提供することを目的とする。
【課題を解決するための手段】
【０００７】
上記問題を解決するために、本発明の電源ケーブルは、電子機器本体に電力を供給する電源ケーブルであって、前記電子機器本体のインレットに接続されるコネクタと、電源のコンセントに差し込まれるプラグと、前記コネクタと前記プラグとを電気的に結合する電源コードと、前記電源コードの全部もしくは一部と一体的に構成されるとともに、前記コネクタに掛け廻す拘束ケーブルと、前記拘束ケーブルの前記コネクタ側の端部に固定されるとともに、前記コネクタを前記インレットから引き抜きできないように前記電子機器本体に固定するロック部とを備えたことを特徴とする。
【０００８】
上記構成によれば、電子機器本体に電源電力を供給する電源コードと拘束ケーブルとが一体的に構成され、電源ケーブルのコネクタを拘束ケーブルに掛け廻すとともに、コネクタがインレットから引き抜きできないように電子機器本体に固定するロック部とを備えたことにより、電源ケーブルを用い電子機器の盗難等のセキュリティ対応を可能にし、しかも電子機器の安定した電力の供給とデザイン上あるいは使い勝手の良い電源ケーブルを提供することができる。
【０００９】
また、本発明の電源ケーブルは、前記拘束ケーブルは、端部に環部を有することを特徴とする。
上記構成によれば、拘束ケーブルの端部に環部を有することにより、コネクタを拘束ケーブルの環部に掛け廻す簡単な操作で、電子機器の盗難等の確実なセキュリティ対応ができる。
【００１０】
また、本発明の電源ケーブルは、前記拘束ケーブルの環部は、前記電源コードの途中から分岐する状態に設けられていることを特徴とする。
上記構成によれば、コネクタを環部に掛け廻して拘束する拘束位置と、電源のコンセントとの位置が離れていてもプラグをコンセントへ差し込むことが可能になる。
【００１１】
また、本発明の電源ケーブルは、前記ロック部は、前記電子機器本体に設けられた錠の開閉操作により可動する係止部材に係合する係止部を有することを特徴とする。
上記構成によれば、錠を開閉操作すると係止部材がロック部の係止部に係合し、コネクタが電子機器本体にロックされるので、電子機器本体と電源ケーブルとを確実に固定するとともに、電子機器の安定した電力の供給ができる。
【００１２】
また、本発明の電源ケーブルは、前記ロック部は、前記コネクタと一体的に形成された錠を備え、前記錠は当該錠を開閉操作することにより可動するとともに、前記電子機器本体の係止部に係合する係止部材を有することを特徴とする。
上記構成によれば、コネクタと一体的に形成された錠を開閉操作すると、係止部材が電子機器本体の係止部に係合し、コネクタが電子機器本体にロックされるので、電子機器本体と電源ケーブルとを確実に固定するとともに、電子機器の安定した電力の供給ができる。
【００１３】
また、本発明の電子機器は、上述に記載の電源ケーブルと、前記電子機器本体とを備えたことを特徴とする。
上記構成によれば、電源ケーブルが電源コードと拘束コードと一体に構成されているので、電子機器の安定した電力の供給とコード切断等による盗難を防止でき、コンセントから抜いた電子機器の不使用時でも盗難が防止できる。また、すっきりしたデザイン、あるいは使い勝手の良い電子機器を得ることができる。
【発明を実施するための最良の形態】
【００１４】
以下、本発明の実施形態を説明する。なお、本実施形態では、本発明の電子機器の一例として、液晶パネルによって変調された光をスクリーンに投射して画像を表示する投射型液晶表示装置、いわゆる液晶プロジェクタを用いて説明する。
【００１５】
図１は、本発明の電源ケーブルの概略構成を示し、同図（ａ）は平面図であり、同図（ｂ）はケーブル部分の模式断面図である。なお、図１（ｂ）は、図１（ａ）におけるＡ−Ａ断面を示す。
【００１６】
図１（ａ）において、電源ケーブル１０は、電子機器本体のインレットに差し込まれるコネクタ１と、電源のコンセントに差し込まれるプラグ２と、コネクタ１とプラグ２とを電気的に結合する電源コード３と、拘束ケーブル４とで構成されている。すなわち、電源ケーブル１０は、一般的に称される電源コードと拘束ケーブル４とが一体的に構成された電源ケーブルである。
【００１７】
電源コード３は、コネクタ１から電源コード３の分岐部３ａまでの間が拘束ケーブル４と一体的に構成され、それ以降の部分は拘束ケーブル４を含まない構成をしている。つまり電源ケーブル１０は、コネクタ１側から途中位置で分岐し、プラグ２側の電源コード３と拘束ケーブル４とがニ股形状を成している。電源コード３、拘束ケーブル４の長さ、および分岐部３ａの位置は、電源ケーブル１０の想定される使用場面に合わせて適宜に設定するのが望ましい。
【００１８】
拘束ケーブル４が一体的に構成された電源コード３の断面構成は、図１（ｂ）に示すように、互いに絶縁された３つの導体２０ａ，２０ｂ，２０ｃと拘束ケーブル４とが、十分な強度と絶縁性を有する外部絶縁体（シース）２１によって、導体２０ａ，２０ｂ，２０ｃと拘束ケーブル４を包括する一体成型によって一体化されている。なお、この電源ケーブル１０は、いわゆる２極アース付き電源ケーブルである。
【００１９】
導体２０ａ，２０ｂは、JIS C 3102に規定された軟銅線をよりあわせた電源線であり、導体２０ｃは同様に軟銅線をよりあわせた接地線である。これらの導体２０ａ，２０ｂ，２０ｃの各外周部は、導体の同心円状をなす内部絶縁体２２によって被覆されている。内部絶縁体２２および外部絶縁体２１は、例えば耐熱ポリエチレン樹脂からなる。
【００２０】
拘束ケーブル４は、例えば硬質ステンレス線をよりあわせたワイヤからなり、電源ケーブル１０の故意による切断等に対応する十分な強度を有している。拘束ケーブル４は、図１（ａ）に示すように、一方の端部に環状の環部４ａを備え、もう一方の端部（図示せず）は電源コード３の分岐部３ａからコネクタ１の本体中心部まで伸びて配置され、電源コード３及びコネクタ１と一体成型によって一体化されている。なお、環部４ａの環の大きさは、少なくともコネクタ１が潜ること（通過）ができる大きさであれば良い。
【００２１】
コネクタ１は、２極アース付きコネクタであり、コネクタの外周上面に、電子機器としての液晶プロジェクタ３０の本体３０ａ（電子機器本体）に固定配置された錠３２の係止部材としてのロック金具３２ｂに係合するロック部及び係止部としてのロック溝１ａ（いずれも図３に示す）を有する。
プラグ２は、２極アース付きプラグであり、電源コード３と一体成型によって一体化されている。
【００２２】
次に、液晶プロジェクタ３０の本体３０ａへの取付けについて説明する。
図２は、本実施形態の電源ケーブルの使用状態を示す斜視図であり、図３は電源ケーブルの液晶プロジェクタ本体取付け部の斜視図である。
【００２３】
図２において、電源ケーブル１０は、コネクタ１が電子機器としての液晶プロジェクタ３０の本体３０ａ（電子機器本体）の背面に形成されたインレット３１に差し込まれ、プラグ２が電源電力としての例えば商用交流電源のコンセント３３に差し込まれて、電源コード３を介して液晶プロジェクタ３０に電力が供給される。
【００２４】
この電源ケーブル１０の液晶プロジェクタ３０の本体３０ａへの電源接続は、プラグ２側の電源コード３とニ股形状を成した拘束ケーブル４の環部４ａを、例えば液晶プロジェクタ３０が設置されたテーブル３４の配線用の孔３４ａに潜らせ、そして、孔３４ａに潜らせた拘束ケーブル４の環部４ａに、コネクタ１を潜らせてからインレット３１に差し込まれる。従って、コネクタ１を環部４ａに掛け廻して拘束する拘束位置（孔３４ａ）と、コンセント３３との位置が離れていても、プラグ２をコンセント３３へ差し込むことができる。
【００２５】
そして、図３に示すように、液晶プロジェクタ３０の本体３０ａの背面に固定された錠３２に、鍵３６を用いて閉操作することにより、鍵３６のロック金具３２ｂがコネクタ１のロック溝１ａに係合して、電源ケーブル１０（コネクタ１）が液晶プロジェクタ３０の本体３０ａ（インレット３１）から引き抜き出来ないようにロックされる。
【００２６】
錠３２は、鍵穴３２ａに鍵３６が差し込まれて回転操作されると、錠３２内部のシリンダに設けられた歯車（ピニオン）と、ロック金具３２ｂに設けられたラック（いずれも図示せず）により、ロック金具３２ｂがコネクタ１側に移動して、ロック金具３２ｂがコネクタ１のロック溝１ａに係合して、電源ケーブル１０（コネクタ１）のロックが行われる。このロック溝１ａ及びロック金具３２ｂとでロック部が構成されている。
【００２７】
コネクタ１は、液晶プロジェクタ３０の本体３０ａのインレット３１内に十分な係合長さを有して押し込まれ、さらに、ロック金具３２ｂ及びロック溝１ａのロックが液晶プロジェクタ３０の本体３０ａに接近した位置に設けられることにより、鍵３６を用いて錠３２を開錠しない限り液晶プロジェクタ３０の本体３０ａ及びテーブル３４から取外すことができない。
【００２８】
しかも、電源ケーブル１０の電源コード３には、コネクタ１と分岐部３ａ間で拘束ケーブル４が一体化されているので、電源ケーブル１０が切断される等が困難な状態を得ることができる。また、プラグ２をコンセント３３から抜いた液晶プロジェクタ３０の不使用時でも、液晶プロジェクタ３０をテーブル３４から取外すことはできない。
【００２９】
以上に説明した本実施形態によれば、以下の効果が得られる。
（１）液晶プロジェクタ３０に電力を供給する電源ケーブル１０は、コネクタ１とプラグ２とを電気的に結合する電源コード３と拘束ケーブル４とが一体的に構成され、コネクタ１を拘束ケーブル４に掛け廻すとともに、コネクタ１を液晶プロジェクタ３０の本体３０ａに固定するロック溝１ａとを備えたことにより、液晶プロジェクタ３０の本体３０ａから電源ケーブル１０を引き抜いたり、電源ケーブル１０が切断される等が困難な状態を得ることができ、盗難等のセキュリティ対応ができる。
（２）液晶プロジェクタ３０の本体３０ａに固定配置された錠３２の開閉操作により可動するロック金具３２ｂに係合するロック溝１ａを有することにより、液晶プロジェクタ３０の本体３０ａと電源ケーブル１０とを確実に固定するとともに、液晶プロジェクタ３０への安定した電力の供給ができる。
（３）プラグ２をコンセント３３から抜いた不使用時にも液晶プロジェクタ３０の盗難防止ができる。
（４）電源ケーブル１０が電源コード３と拘束ケーブル４とが一体的に構成されているので、すっきりしたデザイン、あるいは使い勝手の良い電源ケーブル１０を得ることができる。
【００３０】
その他の変形例を以下に記載する。
【００３１】
（変形例１）
図４は、電源ケーブルの液晶プロジェクタの本体取付け部の別のロック部構造を説明する図である。図４（ａ）は電源ケーブルの電子機器本体取付け部の斜視図であり、図４（ｂ）はロック部のロック状態を説明する模式図である。なお、図４に示す実施形態は、ロック部以外の構成及び動作について図３に示す実施形態と同様であり、これを省略する。
【００３２】
電源ケーブル１０のコネクタ４０は、コネクタ本体４１と錠４２とが一体に構成されている。また、拘束ケーブル４の端部は、電源コード３からコネクタ本体４１の内部を経て錠４２に固定されている。
【００３３】
錠４２は、鍵４４が鍵穴４２ａに差し込まれた状態から、さらに押し込まれることにより、図４（ａ）の図中の二点鎖線で示すように、錠４２内部のシリンダから係止部材としての板状の係止金具４３が押し出され、液晶プロジェクタ３０の本体３０ａの背面に形成された、係止部としてのスロットル５２の孔５２ａに挿入される。そして、孔５２ａに挿入された状態で鍵４４を回転操作することにより、電源ケーブル１０（コネクタ４０）が液晶プロジェクタ３０の本体３０ａ（インレット３１）から引き抜き出来ないようにロックされる。
【００３４】
係止金具４３は、係止金具４３の板状平面の先端から所定長さの内側に、回転操作時の中心の両側に切欠きが設けられ、ほぼ板状の板厚幅の狭部４３ａが形成されている。スロットル５２の孔５２ａに挿入された係止金具４３は、挿入された状態で鍵４４を回転操作されることにより、図４（ｂ）の二点鎖線に示すように、垂直方向から水平方向に回転されて、係止金具４３が液晶プロジェクタ３０の本体３０ａから引き抜きできないようにロックされる。この係止金具４３及びスロットル５２とでロック部が構成されている。
【００３５】
（変形例２）
電子機器として液晶プロジェクタ３０を用いた場合で説明したが、パソコンあるいはＤＶＤ再生装置を始めとする映像再生装置等の電子機器であっても良い。また、電源電力として商用交流電源を用いた場合で説明したが、どんな交流電源、あるいは直流電源の場合であっても良い。さらに、ノートパソコン等に用いられる、交流電源から交流電圧を入力して直流電源に変換するＡＣアダプタに適用することもできる。
【００３６】
（変形例３）
前記変形例１では、ロック部に錠と鍵、いわゆるシリンダ錠を用いた場合で説明したが、錠はダイヤル式であっても良いし、係止部材と係止部で構成されるどんな場合であっても良い。
【図面の簡単な説明】
【００３７】
【図１】本発明の電源ケーブルを示し、（ａ）は平面図、（ｂ）は（ａ）におけるＡ−Ａ線断面図。
【図２】電源ケーブルの使用状態を示す斜視図。
【図３】電源ケーブルの液晶プロジェクタ本体取付け部の斜視図。
【図４】電源ケーブルの液晶プロジェクタ本体取付け部の変形例を示し、（ａ）は別のロック部の斜視図、（ｂ）はロック部の説明図。
【符号の説明】
【００３８】
１，４０…コネクタ、１ａ…ロック部及び係止部としてのロック溝、２…プラグ、３…電源コード、４…拘束ケーブル、４ａ…環部、１０…電源ケーブル、２０ａ〜２０ｃ…導体、２１…外部絶縁体、２２…内部絶縁体、３０…電子機器としての液晶プロジェクタ、３０ａ…電子機器本体としての本体、３１…インレット、３２…錠、３２ｂ…係止部材としてのロック金具、３３…コンセント、３４…テーブル、３６，４４…鍵、４２…ロック部としての錠、４３…係止部材としての係止金具、５２…係止部としてのスロットル。
【図１】
2005235570.tif 000003
【図２】
2005235570.tif 000004
【図３】
2005235570.tif 000005
【図４】
2005235570.tif 000006